(57)【特許請求の範囲】
【請求項１】
電源の投入時に装置を動作する初期動作を行う貨幣処理装置を搭載し、該貨幣処理装置の電力の供給を停止するスリープモードを実行する自動販売機において、
前記自動販売機は、前記スリープモードの実行と該スリープモードからの復帰を制御するともに、前記貨幣処理装置に対して該スリープモードの開始を通知する通知信号を送信した後、該スリープモードを実行するように制御するスリープモード実行制御部を備え、
前記貨幣処理装置は、前記通知信号若しくは前記通知信号を受けたこと、を記憶する記憶部と、前記記憶部に記憶された前記記憶の有無を判定する判定部を備え、
前記スリープモードが終了して前記貨幣処理装置に電源が投入された時、前記判定部が前記記憶部に前記記憶が有ると判定した場合には、前記初期動作を行わないことを特徴とする自動販売機。
【請求項２】
電源の投入時に装置を動作する初期動作を行う貨幣処理装置において、  
前記貨幣処理装置が搭載された自動販売機等から所定の通知信号を受信すると、該通知信号または該通知信号を受けたことを記憶する記憶部と、
前記記憶部に記憶された前記記憶の有無を判定する判定部を備え、
電源が投入された時、前記判定部が前記記憶部に前記記憶が有ると判定した場合には、前記初期動作を行わないことを特徴とする貨幣処理装置。
【発明の詳細な説明】
【技術分野】
【０００１】
本発明は、自動販売機および自動販売機等に搭載された貨幣処理装置に関し、特に貨幣処理装置の動作の耐久性の低下を抑える自動販売機および自動販売機に搭載された貨幣処理装置に関する。
【背景技術】
【０００２】
自動販売機は常時通電され任意の時間に利用可能になっている。近年の自動販売機は、社会の省電力化へのニーズに対応するために、消費電力の低減が進んでいる。
【０００３】
自動販売機の消費電力の低減を図る技術の一つにスリープモードと称される技術がある。この技術は顧客が自動販売機を利用しない時の自動販売機の消費電力を抑える技術である。
【０００４】
自動販売機のスリープモードの技術には、消費電力を抑えることを目的として、さまざまなものがある。
【０００５】
例えばスリープモードを備えた自動販売機の例として、特許文献１には時間帯によって照明や貨幣処理装置への電力の供給を断つスリープモードの機能を備えた自動販売機が開示されている。また特許文献１の自動販売機は、人体検知センサを備えており、人体検知センサの出力に応じて照明への電力の供給を停止（消灯）し、再開（点灯）する技術が開示されている。
【０００６】
現在では、時間帯によって照明を消灯するスリープモードの機能をもつ自動販売機が市場で多くの割合を占めている。
【０００７】
しかし、このようなスリープモード機能付き自動販売機においては、スリープモードであっても貨幣処理装置の電源を遮断することは無い。
【０００８】
一方、自動販売機に搭載される貨幣処理装置には、硬貨処理装置と紙幣処理装置とがある。尚、貨幣処理装置は自動販売機の他、駐車場等の料金支払い機や、券売機などの無人の機器にも搭載されることが多い。
【０００９】
従来の硬貨処理装置は、硬貨を識別するセンサと、正貨を金種別に振り分ける機構と、振り分けた硬貨を一時的に通路内に保持するエスクロ機構と、正貨を収容する硬貨収容部と、硬貨収容部に収容された硬貨を払い出す払出機構を備える。振り分け機構やエスクロ機構は、機構を駆動する複数のソレノイドを有し、払出し機構は、駆動するモータと複数のソレノイドを有する。
【００１０】
従来の紙幣処理装置は、紙幣を識別する識別センサと、紙幣を搬送する搬送機構と、正貨を一時的に通路内に保持するエスクロ機能と、紙幣を紙幣収容部に収容する収容機構を備えている。また、搬送機構や収容機構は、それを駆動するモータを有する。
【００１１】
上記した従来の貨幣処理装置（硬貨処理装置や紙幣処理装置）は、貨幣が装置の通路内に保持された状態や払出機構や収容機構が動作の途中に何らかの原因で電源の供給が停止した場合に、再び電源が投入されると次の処理が出来なくなってしまうので、これを防止するために初期動作を行うようになっている。
【００１２】
初期動作には、電源が投入された際に、通路内の貨幣を自動販売機側の金庫や収納部に取り込むという目的と、払出し機構や収容機構を正規の待機位置にするという目的がある。
【００１３】
硬貨処理装置の初期動作では、ソレノイドを駆動してエスクロ機構と振り分け機構を動作させて、エスクロ機構が保持した状態の硬貨を金庫へ案内する動作を実行するとともに、モータを駆動して払出機構を正規の待機位置にする動作を実行する。
【００１４】
紙幣処理装置の初期動作では、モータを駆動して搬送機構と収容機構を動作させて、通路内の紙幣を返却する。あるいは通路内の紙幣を収容部側へ搬送しさらに搬送した紙幣を紙幣収容部へ収容する。また収容機構を正規の待機位置にする動作を実行する。
【００１５】
貨幣処理装置は、初期動作の後貨幣の受入や自動販売機の主制御からの指令を待つ待機状態になる。
【先行技術文献】
【特許文献】
【００１６】
【特許文献１】特開平２００１−６１２８６号公報
【発明の概要】
【発明が解決しようとする課題】
【００１７】
今後、更なる節電要求への対応として自動販売機においてスリープモードの実行を多用することが考えられる。また、スリープモード中の貨幣処理装置への電源の供給を断つことは更なる節電対応として効果的である。
【００１８】
しかし、従来の貨幣処理装置は電力の供給が開始される度に上述の初期動作を行う為、自動販売機がスリープモード中に貨幣処理装置の電力の供給を断ち、スリープモード終了時に再び電力の供給を開始すると、電力の供給開始の度に貨幣処理装置が初期動作を実行することになる。
【００１９】
すると、初期動作回数が増加して貨幣処理装置のモータやソレノイドおよび駆動される機構（振り分け機構、エスクロ機構、払出機構、搬送機構、収容機構）動作の耐久性を相対的に低下させてしまうという問題がある。
【００２０】
本発明は、上述した問題を解決することを目的として、貨幣処理装置への電源供給を断つスリープモードを多用しても、貨幣処理装置の動作の耐久性の低下を抑える自動販売機および自動販売機に搭載された貨幣処理装置を提供することを目的とする。
【課題を解決するための手段】
【００２１】
上記目的を達成するため、請求項１の発明は、電源の投入時に装置を動作する初期動作を行う貨幣処理装置を搭載し、該貨幣処理装置の電力の供給を停止するスリープモードを実行する自動販売機において、
前記自動販売機は、前記スリープモードの実行と該スリープモードからの復帰を制御するともに、前記貨幣処理装置に対して該スリープモードの開始を通知する通知信号を送信した後、該スリープモードを実行するように制御するスリープモード実行制御部を備え、
前記貨幣処理装置は、前記通知信号若しくは前記通知信号を受けたことを記憶する記憶部と、前記記憶部に記憶された前記記憶の有無を判定する判定部を備え、前記スリープモードが終了して電源が投入された時に、前記判定部が前記記憶部に前記記憶が有ると判定した場合には、前記初期動作を行わないようにする。
【００２２】
上記目的を達成するため、請求項２の発明は、電源の投入時に、装置を動作する初期動作を行う貨幣処理装置において、
前記貨幣処理装置が搭載された自動販売機から所定の通知信号を受信すると、該通知信号若しくは該通知信号を受けたことを記憶する記憶部と、
前記記憶部に記憶された前記記憶の有無を判定する判定部を備え、
電源が投入された時、前記判定部が前記記憶部に前記記憶が有ると判定した場合には、前記初期動作を行わないようにする。
【発明の効果】
【００２３】
請求項１の発明によれば、自動販売機のスリープモード実行制御部は、通知信号を送信し、所定時間が経過してから、スリープモードを実行する。貨幣処理装置は、通知信号を受信すると上記所定時間の間に、通知信号若しくは通知信号を受けたことを記憶部に記憶し、その後電源が断たれる（電力の供給が停止される）ことになる。また自動販売機がスリープモードから復帰して、貨幣処理装置に電源が投入されると、貨幣処理装置の判定部は記憶部に前記記憶があると判定した場合、初期動作を実行しないように出来る。
【００２４】
これにより、自動販売機が、貨幣処理装置への電源供給を停止するスリープモードを多用しても、貨幣処理装置の初期動作の実行回数は増加しないので、貨幣処理装置の動作の耐久性の低下を抑えることが出来る。
【００２５】
請求項２の発明によれば、貨幣処理装置は、自動販売機等（自動販売機、駐車場の料金支払い機や券売機等の無人の機器）から通知信号を受信すると通知信号または通知信号を受けたことを記憶部に記憶する。また貨幣処理装置の電源が投入された時、判定部は記憶部に前記記憶がある場合には初期動作を実行しないように出来る。
【００２６】
これにより、自動販売機が、貨幣処理装置への電源供給を停止するスリープモードを多用しても、貨幣処理装置の初期動作の実行回数は増加しないので、貨幣処理装置の動作の耐久性の低下を抑えることが出来る。
【図面の簡単な説明】
【００２７】
【図１】本発明の一実施例に係る自動販売機１の概念ブロック図。
【図２】本発明の一実施例に係る硬貨処理装置６の概念構成図。
【図３】本発明の一実施例に係る硬貨処理装置６のスリープモードの開始時の動作に係る制御のフロー。
【図４】本発明の一実施例に係る硬貨処理装置６の電源投入時の動作に係る制御フロー。
【発明を実施するための形態】
【００２８】
図１は、本発明の一実施例に係る自動販売機１の概念ブロック図である。自動販売機１は、商品見本等を照明する蛍光灯やＬＥＤからなる照明部３、商品選択釦４、人が近くにいることを検出する人体検知センサ５、貨幣処理装置１１（硬貨処理装置６、紙幣処理装置７）、商品放出駆動部８、各種プログラムや商品販売の売上等を記憶する記憶部９を備える。
【００２９】
照明部３、商品選択釦４、人体検知センサ５、硬貨処理装置６、紙幣処理装置７、商品放出駆動部８、記憶部９は、自動販売機全体を制御する主制御部２に接続されている。また主制御部２はスリープモード実行制御部１０を備える。
【００３０】
照明部３、商品選択釦４、人体検知センサ５、商品放出駆動部８は、周知の自動販売機が備える手段である。硬貨処理装置６、紙幣処理装置７、スリープモード実行制御部１０については後述にて詳細に説明する。
【００３１】
スリープモード実行制御部１０は、予め記憶部９に記憶されたプログラムと人体検知センサ５の検出信号に基づいて自動販売機を構成する照明部３、商品選択釦４、人体検知センサ５、硬貨処理装置６、紙幣処理装置７への電力の供給を停止する（電源を遮断する）スリープモードを実行するとともに再び電力の供給を開始する（電源を投入する）制御をするものである。また、スリープモード実行制御部１０は、スリープモードを開始する（硬貨処理装置６への電力の供給を停止する）ことを通知する通知信号を送信してから、所定時間経過後（本実施例では１０秒が経過後）、スリープモードの実行（硬貨処理装置６等への電力の供給を停止する）を実行する。
【００３２】
このように構成された自動販売機1は、自動販売機１が商品を販売しない時間帯や、人体検知センサ５が人を検出していない時等に、スリープモード実行制御部１０の制御に基づいて、照明部３や硬貨処理装置６や紙幣処理装置７の電力を断つ。これにより自動販売機１は電力の消費を抑える。
【００３３】
次に本発明に係る一実施例の硬貨処理装置６について説明する。図２は、図１に示す自動販売機１に搭載された硬貨処理装置６の概念構成図である。硬貨処理装置６は従来の硬貨処理装置と同様に、硬貨を識別する識別センサ２１、硬貨を振り分ける振り分けレバーとこのレバーを駆動するソレノイドによって構成された振り分け機構２２、振り分けた硬貨を一時的に保持するレバーとこのレバーを駆動するソレノイドによって構成されたエスクロ機構２９、硬貨収容部３０、モータ２５および複数のソレノイド２４から構成された払出し機構２３、プログラムや硬貨の判別閾値や硬貨収容部に収容された硬貨の枚数等を記憶する記憶部２８、これらの各部位が接続され硬貨処理装置６全体を制御する制御部２６を備える。
【００３４】
記憶部２８は、ＲＯＭ、ＲＡＭ、フラッシュメモリによって構成されている。
【００３５】
硬貨処理装置６の制御部２６は、さらに、上記の自動販売機１のスリープモード実行制御部１０から通知信号を受信すると、通知信号を記憶部２８のフラッシュメモリに記憶するとともに、硬貨処理装置６の状態に関する情報（以下バックアップ情報と云う）を記憶部２８のフラッシュメモリに記憶する。
【００３６】
バックアップ情報には、稼働履歴や、エラー履歴、硬貨処理装置６が備える硬貨収容部に収容された硬貨の枚数に係る情報等が含まれる。
【００３７】
また、硬貨処理装置６に電力の供給が開始された時（硬貨処理装置へ電源を投入時）、記憶部２８に通知信号の記憶が有るか否かを確認し、通知信号が記憶されていることを判定する判定部２７を備えている。
【００３８】
このように構成された硬貨処理装置６は、電源が投入された時、判定部２７が、記憶部２８に通知信号の記憶が無いと判定すると、スリープモードからの復帰ではないとみなして制御部２６は、従来の硬貨処理装置６と同様に初期動作を実行する。そして待機状態となる。
【００３９】
また、判定部２７が、通知信号の記憶が有ると判定すると、スリープモードからの復帰であるとみなして制御部２６は初期動作を実行せず、待機状態となる。
【００４０】
次に、図３の硬貨処理装置６のスリープモードの開始時の動作に係る制御のフロー図を参照してスリープモードの開始時の動作の制御を詳細に説明する。
【００４１】
図３の硬貨処理装置６が待機状態において、自動販売機１から通知信号を受信すると（ステップ１でＹｅｓ）、記憶部２８のフラッシュメモリに通知信号を記憶する。（ステップ２）ステップ１において通知信号を受信しなかった場合には、（ステップ１でＮｏ）ステップ１に戻る。
【００４２】
記憶部２８に通知信号を記憶すると、制御部２６は電力の供給が停止する前（電源が断たれる前）に、硬貨が投入されて、硬貨受け入れた状態で電力の供給が停止しないように、硬貨の受入を禁止する。（ステップ３）硬貨の受入が禁止された状態とは、硬貨処理装置６に投入された硬貨がそのまま返却される状態である。
【００４３】
次に、バックアップ情報を、記憶部２８のフラッシュメモリに記憶（バックアップ）する。（ステップ４）
【００４４】
次に、タイマーをスタートする。（ステップ５）これは、自動販売機１側の何らかの都合により、自動販売機がスリープモード通知信号の送信後にスリープモードを実行しなかった場合、通知信号の記憶を消去する為に設けられているものである。本実施例に係る硬貨処理装置６のタイマーの時間は１５秒とする。
【００４５】
次にタイマーが終了（１５秒経過）したか否かをチェックする。（ステップ６）ステップ６においてタイマーが１５秒を経過した場合には（ステップ６でＹｅｓ）、通知信号をクリア（消去）する。（ステップ７）そして待機状態に戻る。
【００４６】
タイマーが終了しなかった場合（ステップ６でＮｏ）、ステップ６を繰り返す。通常であれば自動販売機１は、スリープモード通知信号を送信してから、１０秒の間隔を置いて硬貨処理装置６の電力の供給を停止する為、硬貨処理装置６はステップ６のチェック中に電源が切れる。
【００４７】
次に、図４の硬貨処理装置６の電源投入時の動作に係る制御のフロー図を参照して硬貨処理装置６の電源投入時の制御を詳細に説明する。
【００４８】
図４の制御のフローは、硬貨処理装置６に電源が投入されると（電力の供給が開始された時）スタートする。判定部２７は電源が供給されると記憶部２８に記憶された通知信号の有無を判定する。（ステップ１）
【００４９】
ステップ１において通知信号の記憶が無い場合（ステップ１でＮｏ）、従来の硬貨処理装置と同様に初期動作を実行する（ステップ２）
【００５０】
ステップ１において、通知信号の記憶が有る場合（ステップ１でＹｅｓ）、記憶部２８に記憶されたバックアップ情報を読み出す。（ステップ３）これにより硬貨処理装置６は、スリープモード開始前の硬貨の収容枚数を認識することが出来る。
【００５１】
次に通知信号を消去し（ステップ４）、待機状態となる。
【００５２】
なお、上記の通り第一の実施例に係る説明では、貨幣処理装置６は、記憶部２８のフラッシュメモリに通知信号そのものを記憶する例を用いて説明をしてきたが、貨幣処理装置６が、記憶部２８に通知信号を受信したことを示す記録としてたとえばフラグを記憶するようにして、電源投入時に、判定部２７が、記憶部に記憶された前記フラグの有無を判定してもよい。この場合フラグがあった場合には、スリープモードからの復帰であるとみなして初期動作をしないで待機状態にする。
【００５３】
また、上記の本発明に係る一実施例の説明では、硬貨処理装置６のバックアップ情報を硬貨理装置６の記憶部２８に記憶する例を説明したが、バックアップ情報をスリープモードになる前に、自動販売機１の記憶部９にバックアックしてもよい。このように構成した場合、貨幣処理装置１１は、通知信号を受けた時、自動販売機１へバックアップ情報を送信し、自動販売機１は受信したバックアップ情報をスリープモードの間の記憶部９に記憶する。そして貨幣処理装置がスリープモードから復帰した時、自動販売機１から貨幣処理装置１１へ記憶部９に記憶しておいた貨幣処理装置１１のバックアップ情報を戻す。
【００５４】
上記の本発明に係る一実施例では、自動販売機１と硬貨処理装置６を例に発明の実施例を説明したが、本発明の一実施例に係る紙幣処理装置６も、硬貨処理装置７と同様に、判定手段２７を備えており、スリープモードからの復帰時には、紙幣処理装置７の初期動作を行わずに、待機状態となる。
【００５５】
具体的には、自動販売機１が、スリープモードの実行の開始を示す通知信号を送信し、その１０秒後に、紙幣処理装置７の電源を遮断した場合、紙幣処理装置７は、通知信号を受信すると紙幣処理装置７の記憶部に通知信号あるいは通知信号を受けたこと示す情報を記憶する。また自動販売機がスリープモードから復帰した時、紙幣処理装置７が備える判別部２７が、記憶部に通知信号または通知信号を受けたことを示す情報の記憶が有るか否かを判定し、記憶が有る場合には、スリープモードからの復帰であるとみなして紙幣処理装置７の初期動作をせずに待機状態になる。
【００５６】
以上の通り自動販売機１と貨幣処理装置１１（硬貨処理装置６、紙幣処理装置７）を例に本発明の実施例を説明したが、本発明に係る貨幣の処理装置１１は、自動販売機１１に限定して搭載されるものではなく、駐車場の料金支払い機や券売機等の無人の機器にも搭載される装置である。従って自動販売機以外の機器に搭載された場合であっても、スリープモードからの復帰時に、初期動作を実行せずに、待機状態にすることが出来る。
【００５７】
無人機に貨幣処理装置１１を搭載した場合、貨幣処理装置１１が搭載された無人の機器側からスリープモードの実行を示す通知信号を受信すると、貨幣処理装置１１は通知信号若しくは通知信号を受けたことを記憶し、電源が投入された時には判別部２７が通知信号若しくは通知信号を受けた記憶の有無を判別し、記憶が有ると判別した場合には、初期動作をせずに待機状態になる。
【００５８】
以上の説明の通り、本発明の一実施例に係る自動販売機1は、電源の投入時に装置を動作する初期動作を行う貨幣処理装置を搭載し、該貨幣処理装置の電力の供給を停止するスリープモードを実行する自動販売機１であって、
スリープモードの実行とスリープモードからの復帰を制御するともに、貨幣処理装置１１に対して該スリープモードの開始を通知する通知信号を送信した後、該スリープモードを実行するように制御するスリープモード実行制御部１０を備え、
前記貨幣処理装置１１は、前記通知信号または前記通知信号を受けたことを記憶する記憶部２８と、
前記記憶部２８に記憶された前記記憶の有無を判定する判定部２７を備え、
前記スリープモードが終了して前記貨幣処理装置１１への電源が投入された時、前記判定部２７が前記記憶部に前記記憶が有ると判定した場合には前記初期動作を行わないようにする。
【００５９】
これにより、自動販売機１が、貨幣処理装置への電源供給を停止するスリープモードを多用しても、貨幣処理装置１１の初期動作の実行回数は増加しないので、貨幣処理装置１１の各種機構動作の耐久性の低下を抑えることが出来る自動販売機となる。
【００６０】
また、本発明の一実施例に係る貨幣処理装置１１は、電源の投入時に、装置を動作する初期動作を行う貨幣処理装置であって、
自動販売機等（自動販売機、駐車場の料金支払い機や券売機等の無人の機器）から所定の通知信号を受信すると、該通知信号若しくは該通知信号を受けたことを記憶する記憶部２８と、
前記記憶部２８に記憶された前記記憶の有無を判定する判定部２７を備え、
電源が投入された時、前記判定部２７が前記記憶部２８に記憶が有ると判定した場合には、前記初期動作を行わないようにする。
【００６１】
これにより、貨幣処理装置１１は、自動販売機等が貨幣処理装置への電源供給を停止するスリープモードを多用しても、貨幣処理装置の初期動作の実行回数は増加しないので、貨幣処理装置の動作の耐久性の低下を抑えることが出来る貨幣処理装置となる。
【符号の説明】
【００６２】
１  自動販売機
２  主制御部
３  照明部
４  商品選択釦
５  人体検知センサ
６  硬貨処理装置
７  紙幣処理装置
８  商品放出駆動部
９  記憶部
１０  スリープモード実行制御部
１１  貨幣処理装置
２１  硬貨識別センサ
２２  振り分け機構
２３  払い出し機構
２４  ソレノイド
２５  モータ
２６  制御部
２７  判定部
２８  記憶部
２９  エスクロ機構
３０  硬貨収容部
【図１】
0005743268.tif 000002
【図２】
0005743268.tif 000003
【図３】
0005743268.tif 000004
【図４】
0005743268.tif 000005